【事件の表示】
　特願２０１６−１３１９５５号「遊技機」拒絶査定不服審判事件〔平成３０年　１月１１日出願公開、特開２０１８−　　　５７５号〕について、次のとおり審決する。
【結　論】
　本件審判の請求は、成り立たない。
【理　由】
第１　手続の経緯
　本願は、平成２８年７月１日の出願であって、令和１年６月２６日に手続補正書が提出され、同年１０月３１日付けで拒絶の理由が通知され、令和２年１月１０日に意見書及び手続補正書が提出されたところ、同年３月１１日付けで拒絶査定がなされ、それに対して、同年７月８日に拒絶査定不服審判の請求がなされると同時に手続補正がなされ、これに対し、当審において、令和３年３月３０日付けで拒絶の理由が通知され、同年５月１８日に意見書及び手続補正書が提出されたものである。            
第２　本願発明
　本願の請求項１に係る発明（以下「本願発明」という。）は、令和３年５月１８日に提出された手続補正書により補正された特許請求の範囲の請求項１に記載された次のとおりのものである（Ａ−Ｄは、本願発明を分説するために当審で付与した）。
「【請求項１】
Ａ　複数のリールと、
Ｂ　小役及びリプレイを含む複数種類の役の内部抽選を行う内部抽選手段と、
Ｃ　有利期間と、非有利期間と、の間での移行に係る制御を行う有利期間制御手段と、を備え、
Ｃ１　前記有利期間制御手段は、前記有利期間である場合に、特定役の入賞を補助する入賞補助制御を実行可能であり、
Ｃ２　前記有利期間制御手段は、前記非有利期間であり、かつ前記有利期間に移行しない場合に、前記入賞補助制御に係るすべての制御を実行不能であり、
Ｃ３　前記有利期間制御手段は、前記有利期間から前記非有利期間に移行する場合に、前記有利期間における処理で変更可能な情報をすべて初期化し、
Ｃ４　前記有利期間は、
　第１期間と、
　前記第１期間とは遊技者にとって有利な度合いが異なる複数種類の第２期間と、を含み、
Ｃ５　前記有利期間開始から所定の遊技回数の遊技が実行される場合に、前記第１期間に設定された前記第１期間を継続可能な遊技回数及び前記第２期間に設定された前記第２期間を継続可能な遊技回数によらず前記有利期間制御手段によって前記非有利期間に移行され、
Ｃ６　前記複数種類の第２期間は、前記有利期間制御手段によって前記第１期間への移行に係る処理である第１期間移行処理が実行される確率がそれぞれ異なる、
Ｄ　ことを特徴とする遊技機。」
第３　当審拒絶理由の概要
　令和３年３月３０日付けの当審における拒絶の理由のうちの理由２は、以下のとおりのものである。
（拡大先願）この出願の下記の請求項に係る発明は、その出願の日前の特許出願であって、その出願後に特許掲載公報の発行又は出願公開がされた下記の特許出願の願書に最初に添付された明細書、特許請求の範囲又は図面に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により、特許を受けることができない。
●理由２（拡大先願）について
・請求項１
・先願　１ 
１．特願２０１６−６０３６４号（特開２０１７−１６９９０５号公報）
第４　先願の記載及び先願発明
１　先願１の記載
　当審における拒絶の理由（令和３年３月３０日付け拒絶理由通知書）で、先願１として引用された本願の出願の日前の他の特許出願であって、その出願後に出願公開がされた特願２０１６−６０３６４号（特開２０１７−１６９９０５号公報参照。以下「先願」という。）の願書に最初に添付した明細書、特許請求の範囲又は図面（以下「先願明細書等」という。）には、次の事項が図面とともに記載されている（下線部は当審で付与した。）。
 
（１）「【００４０】
　［スロットマシンの構成］
　図１は、本実施形態に係るスロットマシン１の全体構造を示す正面図である。図１および図３に示すように、
スロットマシン１
リール２Ｌ，２Ｃ，２Ｒ
（２）「【００７４】
　なお、
リプレイＧＲ１〜ＧＲ６、リプレイＧＲ１１〜ＧＲ１３、およびリプレイＧＲ２１〜ＧＲ２３は
押し順リプ
左ベル１〜４、中ベル１〜４、および右ベル１〜４は
押し順ベル
【００７５】
　
リプレイＧＲ１〜６のいずれかに当選したときに昇格リプレイ１，２が入賞する押し順を正解手順と
し、通常リプレイが入賞する押し順を不正解手順と
する
リプレイＧＲ１１〜１３のいずれかに当選したときに通常リプレイが入賞する押し順を正解手順と
し、転落リプレイが入賞する押し順を不正解手順と
する
リプレイＧＲ２１〜２３のいずれかに当選したときに特殊リプレイが入賞する押し順を正解手順と
し、通常リプレイが入賞する押し順を不正解手順と
する
押し順ベルのいずれかに当選したときに中段ベルや右下がりベルが入賞する押し順を正解手順と
し、上段ベルが入賞したり移行出目が導出したりする押し順を不正解手順と
する
・・・
【００７７】
　なお、本実施の形態においては、
ＡＴ中に押し順ベルや押し順リプに当選したときに、正解手順を報知するナビ演出が実行される
【００７８】
　［ゲーム処理］
　メイン制御部４１は、ゲーム処理を行って１回のゲームを制御する。ゲーム処理では、まず、賭数設定やクレジット精算・賭数精算するためのＢＥＴ処理が行われる。
【００７９】
　賭数設定後、スタートスイッチ７が操作されると、
入賞の発生を許容するか否かを決定（内部抽選）するための内部抽選処理
が行われ
メイン制御部４１は
抽選対象役の当選を決定する
（３）「【００８３】
　［ＡＴに関する処理について］
　
メイン制御部４１は、
ＡＴ（アシストタイム）に制御可能である
・・・
【００８５】
　また、
ＣＺ１、ＣＺ２、およびＣＺ３といった３種類のＣＺが設けられ
ＣＺ２が最もＡＴ当選の期待値および付与されるＡＴゲーム数の期待値が高く、ＣＺ３が最もＡＴ当選の期待値および付与されるＡＴゲーム数の期待値が低い
ＣＺ２のＣＺゲーム数は２０ゲームであり、ＣＺ１およびＣＺ３のＣＺゲーム数はともに１０ゲームである
・・・
【００９０】
　［示唆ナビ］
　ＣＺ１、ＣＺ２、およびＣＺ３のいずれに制御される場合でも、示唆ナビが実行される。示唆ナビは、特定の図柄組合せを入賞ラインＬＮ上に停止させるための操作手順（押し順）を特定可能なナビ演出であり、実行されることによってＣＺへの制御が示唆される。
【００９１】
　たとえば、
ＣＺ当選した後、
押し順ベル当選時に最も多くのメダルが払い出される役（本実施の形態においては、中段ベルや右下がりベル）を入賞させるための正解手順を報知する示唆ナビ
（４）「【０１０７】
　また、
ＡＴ当選時に限らず、ＣＺ当選時においてもカウントゲーム数のカウントが開始され
ＣＺ当選したゲームからカウントゲーム数がカウントされ、その後ＣＺ中にＡＴ当選したときには、そのままカウントゲーム数のカウントを継続する
（５）「【０１１４】
　［ＣＺ抽選］
　 図１５は、ＣＺ抽選を説明するための図である。ＣＺ抽選としては、ＣＺ１に制御するか否かを抽選によって決定するＣＺ１抽選と、ＣＺ２に制御するか否かを抽選によって決定するＣＺ２抽選と、ＣＺ３に制御するか否かを抽選によって決定するＣＺ３抽選とが設けられている。
【０１１５】
　図１５（ａ）は、ＣＺ１抽選を説明するための図である。図１５（ａ）に示すように、
ＣＺ１抽選は、非ＣＺ中において弱チェリー１当選および弱スイカ１当選のいずれかが成立したときに実行され
・・・
【０１１７】
　図１５（ｂ）は、ＣＺ２抽選を説明するための図である。図１５（ｂ）に示すように、
ＣＺ２抽選は、ＣＺ１中において弱チェリー１当選および弱スイカ１当選のいずれかが成立したときに実行され
・・・
【０１１９】
　図１５（ｃ）は、ＣＺ３抽選を説明するための図である。図１５（ｃ）に示すように、
ＣＺ３抽選は、非ＣＺ中において弱チェリー２当選および弱スイカ２当選のいずれかが成立したときに実行され
（６）「【０１２１】
　［ＡＴ抽選］
　図１６は、ＡＴ抽選を説明するための図である。ＡＴ抽選としては、
ＡＴ初当りするか否かを抽選によって決定する初当り抽選
【０１２２】
図１６（ａ）は、非ＣＺ中における初当り抽選を説明するための図である。図１６（ａ）に示すように、
非ＣＺ中における初当り抽選は、非ＣＺ中において弱チェリー１当選、弱スイカ１当選、強チェリー当選、強スイカ当選、中段チェリー当選、および非ＡＴ中のゲーム数が消化ゲーム数に達するごとのいずれかが成立したときに実行され
・・・
【０１２５】
　
初当り抽選においては、５０ゲーム、１５０ゲーム、および２５０ゲームのうちのいずれかのＡＴゲーム数の付与が決定され
【０１２６】
　図１６（ｂ）は、ＣＺ１中における初当り抽選を説明するための図である。図１６（ｂ）に示すように、
ＣＺ１中における初当り抽選は、ＣＺ１中において弱チェリー１当選、弱スイカ１当選、強チェリー当選、強スイカ当選、中段チェリー当選、および非ＡＴ中のゲーム数が消化ゲーム数に達するごとのいずれかが成立したときに実行され
・・・
【０１２９】
　図１６（ｃ）は、ＣＺ２中における初当り抽選を説明するための図である。図１６（ｃ）に示すように、
ＣＺ２中における初当り抽選は、ＣＺ２中においていずれかの役当選、および非ＡＴ中のゲーム数が消化ゲーム数に達するごとのいずれかが成立したときに実行され
【０１３０】
　図１６（ｄ）は、ＣＺ３中における初当り抽選を説明するための図である。図１６（ｄ）に示すように、
ＣＺ３中における初当り抽選は、ＣＺ３中において弱チェリー１当選、および弱スイカ１当選のいずれかが成立したときに実行され
（７）「【０１５５】
　［メイン制御部４１の主な処理］
　図１９および図２０を参照しながら、メイン制御部４１が実行する主な処理について説明する。なお、本実施の形態においては、
遊技に関する区間として、通常区間と有利区間とが設けられ
有利区間は、ＡＴ当選およびＣＺ当選のいずれかが成立したゲームから開始し、ＡＴおよびＣＺの全てが終了するまで継続する
通常区間は、有利区間以外の区間のこと
・・・
【０１６０】
　次に、
図２０は
有利区間処理
・・・
【０１６３】
　次に、メイン制御部４１は、クリアカウンタに１を加算する（Ｓ３５）。そして、メイン制御部４１は、クリアカウンタの値が１５００に達していないか否か、すなわちカウントゲーム数が１５００ゲームに達していないか否かを判定する（Ｓ３６）。メイン制御部４１は、
カウントゲーム数が１５００ゲームに達している場合（Ｓ３６でＮＯ）、クリアカウンタに０を設定する（Ｓ３９）
・・・
【０１６６】
　次に、
メイン制御部４１は、初期化処理を行い（Ｓ４０）、有利区間に関わる全ての情報を初期化する
リミット処理が行われてＡＴが終了するとともに、
通常区間処理へ移行し（Ｓ４２）
（８）「【０２５４】
　［変形例］
　以上、本発明における主な実施の形態を説明してきたが、本発明は、上記の実施の形態に限られず、種々の変形、応用が可能である。以下、本発明に適用可能な上記の実施の形態の変形例について説明する。
・・・
【０２５９】
　［有利区間作動抽選について］
　有利区間作動抽選を複数種類設け、さらに、抽選対象役ごとに複数種類の有利区間作動抽選のうちのいずれで当選するかについて当選確率を振り分けてもよい。たとえば、ＣＺ１、ＣＺ２、およびＡＴといった３種類の有利区間作動抽選を設け、押し順ベル、チェリー、およびＢＢといった抽選対象役を設けてもよい。そして、押し順ベルに当選したときには有利区間作動抽選において６０％の確率でＣＺ１、２０％の確率でＣＺ２に当選し、チェリーに当選したときには有利区間作動抽選において４０％の確率でＣＺ１、４０％の確率でＣＺ２、２０％の確率でＡＴに当選し、ＢＢに当選したときには有利区間作動抽選において２０％の確率でＣＺ１、４０％の確率でＣＺ２、４０％の確率でＡＴに当選するようにしてもよい。
【０２６０】
　有利区間作動抽選を複数種類を設け、さらに、制御中の有利区間の種類ごとに複数種類の有利区間作動抽選のうちのいずれで当選するかについて当選確率を振り分けてもよい。たとえば、通常状態と、ＣＺ１、ＣＺ２、およびＡＴといった３種類の有利区間とを設けてもよい。そして、通常状態では有利区間作動抽選において６０％の確率でＣＺ１、２０％の確率でＣＺ２に当選し、ＣＺ１中では有利区間作動抽選において４０％の確率でＣＺ１、４０％の確率でＣＺ２、２０％の確率でＡＴに当選し、ＣＺ２中では有利区間作動抽選において２０％の確率でＣＺ１、４０％の確率でＣＺ２、４０％の確率でＡＴに当選し、ＡＴ中では有利区間作動抽選において１０％の確率でＣＺ１、３０％の確率でＣＺ２、６０％の確率でＡＴに当選してもよい。
・・・
【０２７２】
　［ＣＺへの制御タイミングについて］
　本実施の形態においては、示唆ナビ期間が終了した次のゲームからＣＺに制御されたが、ＣＺの制御契機はこれに限らない。
【０２７３】
　たとえば、図２２（ａ），（ｂ）に示すように、示唆ナビが実行された後にＣＺへの制御が行われる場合、１回目の示唆ナビが実行されたゲームからＣＺへの制御が行われてもよいし、１回目の示唆ナビが実行されたゲームの次のゲーム、あるいはそれ以降のゲームからＣＺへの制御が行われてもよい。なお、前兆期間は設けられておらず、ＣＺ当選したゲームから示唆ナビ期間に突入してもよいし、ＣＺ当選したゲームの次のゲーム、あるいはそれ以降のゲームから示唆ナビ期間に突入してもよい。
【０２７４】
　また、たとえば、図２８（ａ）〜（ｃ）に示すように、示唆ナビ期間中に示唆ナビが１回実行されたゲームからＣＺに制御されてもよい。また、示唆ナビ期間に突入したゲーム（この例の場合、内部抽選でハズレになったゲーム）からＣＺに制御されてもよい。このように、示唆ナビの実行が開始したときからＣＺへの制御が行われるため、ＣＺへの制御を遊技者に分かり易く知らせることができる。
【０２７５】 　なお、図２８（ａ）〜（ｃ）に示すように、示唆ナビの実行が開始したときからＣＺへの制御が行われる場合、
示唆ナビが１回実行されたゲームからＣＺへの制御が行われてもよいし
（９）「【図１０】
【図１１】
」
　【図１０】〜【図１１】には、
抽選対象役として、ベル、左ベル１〜４、中ベル１〜４、右ベル１〜４等の小役、および通常リプレイ、リプレイＧＲ１〜６、リプレイＧＲ１１〜ＧＲ１３、リプレイＧＲ２１〜ＧＲ２３等のリプレイが含まれる
（１０）「【図２０】
」
２　先願発明
　上記１（１）−（８）の記載事項、上記１（９）−（１０）の図示内容から、先願１には、次の発明（以下、「先願発明」という。）が記載されていると認められる（ａ−ｄは、発明の構成を分説するため当審で付与した）。
「ａ　リール２Ｌ，２Ｃ，２Ｒと（【００４０】）、
ｂ　入賞の発生を許容するか否かを決定（内部抽選）するための内部抽選処理を行い（【００７９】）、ベル、左ベル１〜４、中ベル１〜４、右ベル１〜４等の小役、および通常リプレイ、リプレイＧＲ１〜６、リプレイＧＲ１１〜ＧＲ１３、リプレイＧＲ２１〜ＧＲ２３等のリプレイが含まれる（上記１（９））抽選対象役の当選を決定するメイン制御部４１と（【００７９】）、を備え、
ｃ、ｃ１、ｃ２、ｃ４　遊技に関する区間として通常区間と有利区間とが設けられ、有利区間以外の区間が通常区間であり、前記メイン制御部４１は、有利区間をＡＴ当選およびＣＺ当選のいずれかが成立したゲームから開始させ、ＡＴおよびＣＺの全てが終了するまで継続するようにし（【０１５５】）、
　リプレイＧＲ１〜６のいずれかに当選したときに昇格リプレイ１，２が入賞する押し順を正解手順とし、通常リプレイが入賞する押し順を不正解手順とし、リプレイＧＲ１１〜１３のいずれかに当選したときに通常リプレイが入賞する押し順を正解手順とし、転落リプレイが入賞する押し順を不正解手順とし、リプレイＧＲ２１〜２３のいずれかに当選したときに特殊リプレイが入賞する押し順を正解手順とし、通常リプレイが入賞する押し順を不正解手順とし、押し順ベルのいずれかに当選したときに中段ベルや右下がりベルが入賞する押し順を正解手順とし、上段ベルが入賞したり移行出目が導出したりする押し順を不正解手順とし（【００７５】）、
　メイン制御部４１は（【００８３】）、左ベル１〜４、中ベル１〜４、および右ベル１〜４である押し順ベルや、リプレイＧＲ１〜ＧＲ６、リプレイＧＲ１１〜ＧＲ１３、およびリプレイＧＲ２１〜ＧＲ２３である押し順リプ（【００７４】、【００７７】）に当選したときに、正解手順を報知するナビ演出が実行される（【００７７】）ＡＴに制御可能であり（【００８３】）、
　ＣＺ当選した後、押し順ベル当選時に最も多くのメダルが払い出される役（中段ベルや右下がりベル）を入賞させるための正解手順を報知する（【００９１】）示唆ナビが１回実行されたゲームからＣＺへの制御が行われるようにし（【０２７５】）、
　ＣＺ１、ＣＺ２、およびＣＺ３といった３種類のＣＺが設けられ（【００８５】）、
　ＣＺ１抽選は、非ＣＺ中において弱チェリー１当選および弱スイカ１当選のいずれかが成立したときに実行され（【０１１５】）、ＣＺ２抽選は、ＣＺ１中において弱チェリー１当選および弱スイカ１当選のいずれかが成立したときに実行され（【０１１７】）、ＣＺ３抽選は、非ＣＺ中において弱チェリー２当選および弱スイカ２当選のいずれかが成立したときに実行され（【０１１９】）、
　非ＣＺ中におけるＡＴ初当り抽選は、非ＣＺ中において弱チェリー１当選、弱スイカ１当選、強チェリー当選、強スイカ当選、中段チェリー当選、および非ＡＴ中のゲーム数が消化ゲーム数に達するごとのいずれかが成立したときに実行され（【０１２２】、【０１２１】）、ＣＺ１中におけるＡＴ初当り抽選は、ＣＺ１中において弱チェリー１当選、弱スイカ１当選、強チェリー当選、強スイカ当選、中段チェリー当選、および非ＡＴ中のゲーム数が消化ゲーム数に達するごとのいずれかが成立したときに実行され（【０１２６】、【０１２１】）、ＣＺ２中におけるＡＴ初当り抽選は、ＣＺ２中においていずれかの役当選、および非ＡＴ中のゲーム数が消化ゲーム数に達するごとのいずれかが成立したときに実行され【０１２９】、【０１２１】）、ＣＺ３中におけるＡＴ初当り抽選は、ＣＺ３中において弱チェリー１当選、および弱スイカ１当選のいずれかが成立したときに実行され（【０１３０】、【０１２１】）、
ｃ３、ｃ５　ＡＴ初当りするか否かを抽選によって決定する（【０１２１】）ＡＴ初当り抽選においては、５０ゲーム、１５０ゲーム、および２５０ゲームのうちのいずれかのＡＴゲーム数の付与が決定され（【０１２５】、【０１２１】）、
　ＣＺ２のＣＺゲーム数は２０ゲームであり、ＣＺ１およびＣＺ３のＣＺゲーム数はともに１０ゲームであり（【００８５】）、
　ＡＴ当選時に限らず、ＣＺ当選時においてもカウントゲーム数のカウントが開始され、
　ＣＺ当選したゲームからカウントゲーム数がカウントされ、その後ＣＺ中にＡＴ当選したときには、そのままカウントゲーム数のカウントを継続し（【０１０７】）、
　有利区間処理において（【０１６０】、【図２０】）、カウントゲーム数が１５００ゲームに達している場合、クリアカウンタに０を設定し（【０１６３】）、メイン制御部４１は、初期化処理を行い、有利区間に関わる全ての情報を初期化し、リミット処理が行われてＡＴが終了するとともに、通常区間処理へ移行し（【０１６６】）
ｃ６　ＣＺ２が最もＡＴ当選の期待値が高く、ＣＺ３が最もＡＴ当選の期待値が低い（【００８５】）、
ｄ　スロットマシン１（【００４０】）。」
（以下、「先願発明」という。）が記載されている（なお、記号ａ等については、請求項１の上記Ａ等に対応させて付与し、引用箇所の段落番号等を併記した）。
  
第５　対比
　本願発明と先願発明とを対比する。 
１　特定事項Ａについて
　先願発明の特定事項ａの「リール２Ｌ，２Ｃ，２Ｒ」は、本願発明の特定事項Ａの「複数のリール」に相当する。
２　特定事項Ｂについて
　先願発明の特定事項ｂの「ベル、左ベル１〜４、中ベル１〜４、右ベル１〜４等の小役、および通常リプレイ、リプレイＧＲ１〜６、リプレイＧＲ１１〜ＧＲ１３、リプレイＧＲ２１〜ＧＲ２３等のリプレイが含まれる抽選対象役」、及び「入賞の発生を許容するか否かを決定（内部抽選）するための内部抽選処理を行い」「抽選対象役の当選を決定するメイン制御部４１」は、それぞれ、本願発明の特定事項Ｂの「小役及びリプレイを含む複数種類の役」、及び「内部抽選を行う内部抽選手段」に相当する。
　したがって、先願発明の特定事項ｂの「入賞の発生を許容するか否かを決定（内部抽選）するための内部抽選処理を行い、ベル、左ベル１〜４、中ベル１〜４、右ベル１〜４等の小役、および通常リプレイ、リプレイＧＲ１〜６、リプレイＧＲ１１〜ＧＲ１３、リプレイＧＲ２１〜ＧＲ２３等のリプレイが含まれる抽選対象役の当選を決定するメイン制御部４１」は、本願発明の特定事項Ｂの「小役及びリプレイを含む複数種類の役の内部抽選を行う内部抽選手段」に相当する。
３　特定事項Ｃについて
　先願発明の特定事項ｃ、ｃ１、ｃ２、ｃ４の「有利区間」、「通常区間」、及び「メイン制御部４１」は、それぞれ、本願発明の特定事項Ｃの「有利期間」、「非有利期間」、及び「有利期間制御手段」に相当する。
　また、先願発明の特定事項ｃ、ｃ１、ｃ２、ｃ４では「遊技に関する区間として通常区間と有利区間とが設けられ、有利区間以外の区間が通常区間であり、前記メイン制御部４１は、有利区間をＡＴ当選およびＣＺ当選のいずれかが成立したゲームから開始させ、ＡＴおよびＣＺの全てが終了するまで継続するようにし」ており、先願発明の特定事項ｃ、ｃ１、ｃ２、ｃ４の「メイン制御部４１」は、「有利区間」（有利期間）と「通常区間」（非有利期間）の間での移行制御をしているといえるから、本願発明の特定事項Ｃの「有利期間と、非有利期間と、の間での移行に係る制御を行う有利期間制御手段」に相当する特定事項を有している。
４　特定事項Ｃ１について
　先願発明の特定事項ｃ、ｃ１、ｃ２、ｃ４の「リプレイＧＲ１〜６のいずれかに当選したとき」「正解手順」で「入賞」する「昇格リプレイ１，２」、「リプレイＧＲ１１〜１３のいずれかに当選したとき」「正解手順」で「入賞」する「通常リプレイ」、「リプレイＧＲ２１〜２３のいずれかに当選したとき」「正解手順」で「入賞」する「特殊リプレイ」、「左ベル１〜４、中ベル１〜４、および右ベル１〜４である」「押し順ベルのいずれかに当選したとき」「正解手順」で「入賞」する「中段ベルや右下がりベル」は、本願発明の特定事項Ｃ１の「特定役」に相当する。
　また、先願発明の特定事項ｃ、ｃ１、ｃ２、ｃ４の「正解手順」は、「昇格リプレイ１，２」、「中段ベルや右下がりベル」等（特定役）を入賞させるための手順であるから、先願発明の特定事項ｃ、ｃ１、ｃ２、ｃ４の「ＡＴ」（有利期間）における「正解手順を報知するナビ演出が実行」、及び「ＣＺ」（有利期間）における「正解手順を報知する示唆ナビが」「実行」は、本願発明の特定事項Ｃ１の「特定役の入賞を補助する入賞補助制御を実行」に相当する。
　したがって、先願発明の特定事項ｃ、ｃ１、ｃ２、ｃ４の「メイン制御部４１」は、本願発明の特定事項Ｃ１の「前記有利期間制御手段は、前記有利期間である場合に、特定役の入賞を補助する入賞補助制御を実行可能であ」ることに相当する特定事項を有している。
５　特定事項Ｃ２について
（１）先願発明の特定事項ｃ、ｃ１、ｃ２、ｃ４の「ＡＴ」（有利期間）では「正解手順を報知するナビ演出が実行され」、「ＣＺ」（有利期間）では「正解手順を報知する示唆ナビが」「実行され」るが、ＡＴでもＣＺでもない「ＡＴ当選およびＣＺ当選」以前（非有利期間）では、「正解手順を報知するナビ演出」及び「示唆ナビ」（入賞補助制御）は実行されない。
　また、先願発明の特定事項ｃ、ｃ１、ｃ２、ｃ４のＡＴでもＣＺでもない「ＡＴ当選およびＣＺ当選」以前（非有利期間）には、「ＡＴ」（有利期間）及び「ＣＺ」（有利期間）に移行しない場合が含まれることは明らかである。
　これらのことから、先願発明の特定事項ｃ、ｃ１、ｃ２、ｃ４の「メイン制御部４１」（有利期間制御手段）は、ＡＴでもＣＺでもない「ＡＴ当選およびＣＺ当選」以前（非有利期間）であり、かつ、「ＡＴ」（有利期間）及び「ＣＺ」（有利期間）に移行しない場合には、「正解手順を報知するナビ演出」及び「示唆ナビ」（入賞補助制御）は実行されないようにしているから、先願発明の特定事項ｃ、ｃ１、ｃ２、ｃ４の「メイン制御部４１」（有利期間制御手段）は、本願発明の特定事項Ｃ２の「前記有利期間制御手段は、前記非有利期間であり、かつ前記有利期間に移行しない場合に、前記入賞補助制御に係る」「制御を実行不能であ」ることに相当する特定事項を有している。
（２）また、先願発明の特定事項ｃ、ｃ１、ｃ２、ｃ４の「ＣＺ１抽選」、及び「ＣＺ３抽選」は、「非ＣＺ中において」「実行され」、「ＡＴ初当り抽選」は、「ＣＺ１中」、「ＣＺ２中」、及び「ＣＺ３中」だけでなく、「非ＣＺ中において」も「実行され」る。
　そして、「非ＣＺ中」には、ＡＴでもＣＺでもない「ＡＴ当選およびＣＺ当選」以前（非有利期間）が含まれていることは明らかであり、「ＣＺ１抽選」、「ＣＺ３抽選」、及び「ＡＴ初当り抽選」において、当選しない場合もあることも明らかであるから、「ＣＺ１抽選」、「ＣＺ３抽選」、及び「ＡＴ初当り抽選」は、「非ＣＺ中」（非有利期間）であり、かつ「ＡＴ」又は「ＣＺ」（有利期間）に移行しない場合に実行可能である。
　しかしながら、先願発明の特定事項ｃ、ｃ１、ｃ２、ｃ４の「ＣＺ１抽選」、「ＣＺ３抽選」、及び「ＡＴ初当り抽選」は、当選時に、ＡＴでもＣＺでもない「ＡＴ当選およびＣＺ当選」以前（非有利期間）から、「ＡＴ」（有利期間）及び「ＣＺ」（有利期間）に移行させる制御であり、「非ＣＺ中」（非有利期間）に「正解手順を報知するナビ演出」又は「示唆ナビ」（入賞補助制御）を実行するものではないから、本願発明の特定事項ｃ、ｃ１、ｃ２、ｃ４の「入賞補助制御に係る」「制御」ではないが、本願発明の特定事項Ｃ２の「入賞補助制御に係るすべての制御」には、入賞補助制御状態になるまでの抽選等のいかなる制御も含まれる可能性があることが懸念される。
（３）ここで、本願発明の特定事項Ｃ２の「前記有利期間制御手段は、前記非有利期間であり、かつ前記有利期間に移行しない場合に、前記入賞補助制御に係るすべての制御を実行不能であり」における、「入賞補助制御に係るすべての制御」について、「ＣＺ１抽選」、「ＣＺ３抽選」、及び「ＡＴ初当り抽選」が含まれるか否かについて検討する。
（４）本願明細書の【００９３】には「有利期間制御手段２００は、特定役の入賞を補助する
入賞補助制御を実行可能な
有利期間
入賞補助制御を実行不能な
非有利期間
有利期間内において入賞補助制御に係る制御を実行するアシストタイム期間制御手段２００Ｂ（ＡＴ期間制御手段）
　本願明細書の【００９７】には「
ＡＴ期間制御手段２００Ｂは、期間制御手段２００Ａによって有利期間が開始された場合、
特定役の入賞を補助する入賞補助制御を実行し
入賞補助制御を
実行する
入賞補助制御として、打順によって入賞する役が異なる当選エリアに内部抽選で当選した場合に、特定役が入賞する確率を上げるための制御として、
内部抽選で当選した当選エリアがいずれの当選エリアであるかを報知する報知表示が
実行される
　本願明細書の【０１００】には「＜有利期間制御手段によって制御される期間の詳細＞ 図６に示すように、
非有利期間は、ＡＴ期間制御手段２００Ｂによる入賞補助制御が実行されない期間
（５）このことから、上記【００９３】、【００９７】、【０１００】には、入賞補助制御を実行可能な有利期間と、入賞補助制御を実行不能な非有利期間があり、有利期間内において入賞補助制御に係る制御を実行するＡＴ期間制御手段２００Ｂは、期間制御手段２００Ａによって有利期間が開始された場合、特定役の入賞を補助する入賞補助制御を実行し、入賞補助制御として、打順によって入賞する役が異なる当選エリアに内部抽選で当選した場合に、特定役が入賞する確率を上げるための制御として、内部抽選で当選した当選エリアがいずれの当選エリアであるかを報知する報知表示が実行されることが記載されている。
　しかしながら、上記【００９３】、【００９７】、【０１００】には、「入賞補助制御に係る」「制御」として、有利期間に行われる特定役の入賞を補助する入賞補助制御以外の制御があることは記載されておらず、本願出願の願書に添付した明細書、特許請求の範囲又は図面（以下、「本願明細書等」という。）の他の記載を参照しても、「入賞補助制御に係る」「制御」として、有利期間に行われる特定役の入賞を補助する入賞補助制御以外の制御があることは、記載も示唆もされていない。
　これらのことから、本願発明における「入賞補助制御に係るすべての制御」は、有利期間に行われる特定役の入賞を補助する制御であるといえる。
（６）また、本願明細書の【０１１７】には「図７
（Ａ）は、非有利期間における有利期間移行抽選において、複数種類の有利期間のいずれかに移行する確率
を示す図である
期間制御手段２００Ａは、特定当選エリアの当選時における有利期間移行抽選において、
（Ａ）に示す確率で非有利期間を終了した後の移行先を決定しており、第１ＡＴ期間、第２ＡＴ期間Ａ〜第２ＡＴ期間Ｃのいずれかの有利期間を約１／８６．３１の確率で移行先として決定し、第１ＡＴ期間と、終了後に第１ＡＴ期間の実行が決定されている第２ＡＴ期間Ｃと、のＡＲＴ遊技の実行が決定されるいずれかの有利期間を約１／１０５８．６３の確率で移行先として決定する
（７）「【図７】
   」
（８）本願の【図７】（Ａ）及び本願明細書の【０１１７】の「図７（Ａ）は、非有利期間における有利期間移行抽選において、複数種類の有利期間のいずれかに移行する確率（以下、非有利期間又は複数種類の有利期間のいずれかを終了して別の期間を開始する確率のことを「期間移行確率」とも記載）を示す図である。期間制御手段２００Ａは、特定当選エリアの当選時における有利期間移行抽選において、図７（Ａ）に示す確率で非有利期間を終了した後の移行先を決定しており、第１ＡＴ期間、第２ＡＴ期間Ａ〜第２ＡＴ期間Ｃのいずれかの有利期間を約１／８６．３１の確率で移行先として決定し、第１ＡＴ期間と、終了後に第１ＡＴ期間の実行が決定されている第２ＡＴ期間Ｃと、のＡＲＴ遊技の実行が決定されるいずれかの有利期間を約１／１０５８．６３の確率で移行先として決定する。」との記載から、
　本願の【図７】（Ａ）及び本願明細書の【０１１７】には、
期間制御手段２００Ａは、非有利期間における有利期間移行抽選により、非有利期間を終了した後に、第２ＡＴ期間Ａ、第２ＡＴ期間Ｂ、第２ＡＴ期間Ｃ、第１ＡＴ期間に移行することが、それぞれ、１／１３９．２４、１／２８９．０２、１／１５１２．５７、１／３４９５．２５の確率で決定すること
　また、本願の【図７】（Ａ）に記載された「第２ＡＴ期間Ａ」、「第２ＡＴ期間Ｂ」、「第２ＡＴ期間Ｃ」は、本願発明の「第２期間」（有利期間）に対応し、「第１ＡＴ期間」は、本願発明の「第１期間」（有利期間）に対応するとともに、「第２ＡＴ期間Ａ、第２ＡＴ期間Ｂ、第２ＡＴ期間Ｃ、第１ＡＴ期間に移行する」確率が定められているから、「非有利期間における有利期間移行抽選」において、当選しない場合がある。
　これらのことから、本願明細書の【０１１７】に記載された「非有利期間における有利期間移行抽選」は、非有利期間で当選した場合に、非有利期間から有利期間に移行させる制御である。
（９）仮に、本願明細書の【０１１７】に記載された「非有利期間における有利期間移行抽選」が、本願発明の特定事項Ｃ２の「入賞補助制御に係るすべての制御」に含まれるとすると、本願発明の特定事項Ｃ２の「前記有利期間制御手段は、前記非有利期間であり、かつ前記有利期間に移行しない場合に、前記入賞補助制御に係るすべての制御を実行不能であ」ることは、発明の詳細な説明に記載したものではないこととなるから、本願明細書の【０１１７】に記載された「非有利期間における有利期間移行抽選」が、本願発明の特定事項Ｃ２の「入賞補助制御に係るすべての制御」に含まれないことは明らかである。
（１０）そして、上記（２）で述べた、先願発明の「非ＣＺ中において」実行される「ＣＺ１抽選」、「ＣＺ３抽選」、及び「ＡＴ初当り抽選」も、本願明細書の【０１１７】に記載された「非有利期間における有利期間移行抽選」と同様に、当選時に、ＡＴでもＣＺでもない「ＡＴ当選およびＣＺ当選」以前（非有利期間）から、「ＡＴ」（有利期間）及び「ＣＺ」（有利期間）に移行させる制御であるから、先願発明の「非ＣＺ中において」実行される「ＣＺ１抽選」、「ＣＺ３抽選」、及び「ＡＴ初当り抽選」は、本願発明の特定事項Ｃ２の「入賞補助制御に係るすべての制御」に含まれない。
（１１）これらのことから、先願発明において、本願発明の特定事項Ｃ２の「入賞補助制御に係るすべての制御」に相当するのは、上記（１）で述べた、ＡＴでもＣＺでもない「ＡＴ当選およびＣＺ当選」以前（非有利期間）では実行されない、「正解手順を報知するナビ演出」及び「示唆ナビ」（入賞補助制御）のみであるから、先願発明の特定事項ｃ、ｃ１、ｃ２、ｃ４の「正解手順を報知するナビ演出」及び「示唆ナビ」（入賞補助制御）は、本願発明の特定事項Ｃ２の「入賞補助制御に係るすべての制御」に相当する。
　したがって、上記（ア）の検討内容を考慮すると、先願発明の特定事項ｃ、ｃ１、ｃ２、ｃ４の「メイン制御部４１」（有利期間制御手段）は、本願発明の特定事項Ｃ２の「前記有利期間制御手段は、前記非有利期間であり、かつ前記有利期間に移行しない場合に、前記入賞補助制御に係るすべての制御を実行不能であ」ることに相当する特定事項を有している。
６　特定事項Ｃ３について
　先願発明の特定事項ｃ３、ｃ５では「有利区間処理において、カウントゲーム数が１５００ゲームに達している場合」「メイン制御部４１は、初期化処理を行い、有利区間に関わる全ての情報を初期化し、リミット処理が行われてＡＴが終了するとともに、通常区間処理へ移行する」から、先願発明の特定事項ｃ３、ｃ５の「メイン制御部４１」は、本願発明の特定事項Ｃ３の「前記有利期間制御手段は、前記有利期間から前記非有利期間に移行する場合に、前記有利期間における処理で変更可能な情報をすべて初期化」することに相当する特定事項を有している。
７　特定事項Ｃ４について
　先願発明の特定事項ｃ、ｃ１、ｃ２、ｃ４の「ＡＴ」では「押し順ベル」と「押し順リプ」の「正解手順を報知するナビ演出が実行される」が、先願発明の特定事項ｃ、ｃ１、ｃ２、ｃ４の「ＣＺ」の「示唆ナビ」では「押し順ベル」の「正解手順を報知する」が「押し順リプ」の「正解手順」は報知しないから、「ＡＴ」と「ＣＺ」とでは、遊技者にとっての有利度合いが異なる。
　したがって、先願発明の特定事項ｃ、ｃ１、ｃ２、ｃ４の「ＡＴ」、先願発明の特定事項ｃ、ｃ１、ｃ２、ｃ４の「ＣＺ」は、それぞれ、本願発明の特定事項Ｃ２の「第１期間」、「第２期間」に相当するとともに、先願発明の特定事項ｃ、ｃ１、ｃ２、ｃ４は、本願発明の特定事項Ｃ４の「前記有利期間は、第１期間と、前記第１期間とは遊技者にとって有利な度合いが異なる複数種類の第２期間と、を含み」に相当する特定事項を有している。
８　特定事項Ｃ５について
　先願発明の特定事項ｃ３、ｃ５の「ＡＴ当選時に限らず、ＣＺ当選時においても」「カウントが開始され」る「カウントゲーム数」である「１５００ゲーム」は、本願発明の「有利期間開始から所定の遊技回数」に相当する。
　また、先願発明の特定事項ｃ３、ｃ５の「ＡＴ」（第１期間）「ゲーム数」である「５０ゲーム、１５０ゲーム、および２５０ゲーム」、及び「ＣＺ」（第２期間）「ゲーム数」である「２０ゲーム」「１０ゲーム」は、それぞれ、本願発明の特定事項Ｃ５の「前記第１期間に設定された前記第１期間を継続可能な遊技回数」、及び「前記第２期間に設定された前記第２期間を継続可能な遊技回数」に相当する。
　そして、先願発明の特定事項ｃ３、ｃ５では「有利区間」（有利期間）「処理において、カウントゲーム数が１５００ゲーム」（所定の遊技回数）「に達している場合」「通常区間」（非有利期間）「処理へ移行する」から、先願発明の特定事項ｃ３、ｃ５の「ＡＴ」（第１期間）「ゲーム数」である「５０ゲーム、１５０ゲーム、および２５０ゲーム」（継続可能な遊技回数）、及び「ＣＺ」（第２期間）「ゲーム数」である「２０ゲーム」「１０ゲーム」（継続可能な遊技回数）によらず、「通常区間」（非有利期間）に移行している。
　したがって、先願発明の特定事項ｃ３、ｃ５は、本願発明の特定事項Ｃ５の「前記有利期間開始から所定の遊技回数の遊技が実行される場合に、前記第１期間に設定された前記第１期間を継続可能な遊技回数及び前記第２期間に設定された前記第２期間を継続可能な遊技回数によらず前記有利期間制御手段によって前記非有利期間に移行され」に相当する特定事項を有している。
９　特定事項Ｃ６について
　先願発明の特定事項ｃ、ｃ１、ｃ２、ｃ４の「有利区間」を「ＡＴおよびＣＺの全てが終了するまで継続するようにする」「メイン制御部４１」により、「ＡＴ」（第１期間）への移行処理が実行されることは明らかである。
　また、特定事項ｃ、ｃ１、ｃ２、ｃ４の「ＣＺ１、ＣＺ２、およびＣＺ３といった３種類のＣＺ」については、先願発明の特定事項ｃ６では「ＣＺ２」（第２期間）「が最もＡＴ」（第１期間）「当選の期待値が高く、ＣＺ３」（第２期間）「が最もＡＴ」（第１期間）「当選の期待値が低」くなっている。
　したがって、先願発明の特定事項ｃ、ｃ１、ｃ２、ｃ４、及び特定事項ｃ４、ｃ６は、本願発明の特定事項Ｃ６の「前記複数種類の第２期間は、前記有利期間制御手段によって前記第１期間への移行に係る処理である第１期間移行処理が実行される確率がそれぞれ異なる」に相当する特定事項を有している。
１０　特定事項Ｄについて
　先願発明の特定事項ｄの「スロットマシン１」は、本願発明の特定事項Ｄの「遊技機」に相当する。
　上記１〜１０から、本願発明と先願発明とは、
［一致点］
「Ａ　複数のリールと、
Ｂ　小役及びリプレイを含む複数種類の役の内部抽選を行う内部抽選手段と、
Ｃ　有利期間と、非有利期間と、の間での移行に係る制御を行う有利期間制御手段と、を備え、
Ｃ１　前記有利期間制御手段は、前記有利期間である場合に、特定役の入賞を補助する入賞補助制御を実行可能であり、
Ｃ２　前記有利期間制御手段は、前記非有利期間であり、かつ前記有利期間に移行しない場合に、前記入賞補助制御に係るすべての制御を実行不能であり、
Ｃ３　前記有利期間制御手段は、前記有利期間から前記非有利期間に移行する場合に、前記有利期間における処理で変更可能な情報をすべて初期化し、
Ｃ４　前記有利期間は、
　第１期間と、
　前記第１期間とは遊技者にとって有利な度合いが異なる複数種類の第２期間と、を含み、
Ｃ５　前記有利期間開始から所定の遊技回数の遊技が実行される場合に、前記第１期間に設定された前記第１期間を継続可能な遊技回数及び前記第２期間に設定された前記第２期間を継続可能な遊技回数によらず前記有利期間制御手段によって前記非有利期間に移行され、
Ｃ６　前記複数種類の第２期間は、前記有利期間制御手段によって前記第１期間への移行に係る処理である第１期間移行処理が実行される確率がそれぞれ異なる、
Ｄ　遊技機。」
　である点で一致し、相違点はない。
　したがって、本願発明は、先願発明と同一である。
第６　請求人の主張
　審判請求人は、令和３年５月１８日提出の意見書の「（５）拒絶理由２について」において、概ね以下のように主張している。
「審査官殿は、ＡＴ及びＣＺのすべてが終了するまで継続する有利区間と、有利区間と通常区間との間での移行に係る制御が行われる構成と、有利区間処理において、カウントゲーム数が１５００ゲームに達している場合に、メイン制御部が初期化処理を行って有利区間に関わるすべての情報を初期化し、リミット処理が行われてＡＴが終了し通常区間処理へ移行する構成と、が記載されており、請求項１に係る発明と、引用文献１に記載された発明と、は同一である、と指摘されている。
　しかしながら、引用文献１に記載された遊技機は、通常区間において実行されるＡＴ又はＣＺの初当たり抽選から有利区間作動抽選が構成されている。また、引用文献１に記載された遊技機は、段落［０２６０］に記載されている通り、通常区間に相当する通常状態だけでなく、ＣＺ１やＣＺ２、ＡＴにおいても有利区間作動抽選を実行可能に構成されている。
　つまり、引用文献１に記載された有利区間作動抽選は、有利区間といった単語は用いられているものの、その実態について、通常状態においても実行可能な入賞補助制御に係る制御（入賞補助制御を実行可能な状態への移行についての制御）として実行される抽選として構成されており、通常状態においても、当該入賞補助制御に係る制御を実行可能な遊技機として構成されていることが明らかであり、通常状態において入賞補助制御に係るすべての制御を実行不能な構成について、一切の記載がない。」
　しかしながら、上記第５　５（１）、（５）、（９）〜（１１）において既に述べたように、本願明細書等において、「入賞補助制御に係る」「制御」として、有利期間に行われる特定役の入賞を補助する入賞補助制御以外の制御があることは、記載も示唆もされておらず（上記第５　５（５））、本願明細書の【０１１７】に記載された「非有利期間における有利期間移行抽選」が、本願発明の特定事項Ｃ２の「入賞補助制御に係るすべての制御」に含まれるとすると、本願発明の特定事項Ｃ２の「前記有利期間制御手段は、前記非有利期間であり、かつ前記有利期間に移行しない場合に、前記入賞補助制御に係るすべての制御を実行不能であ」ることは、発明の詳細な説明に記載したものではないこととなるから、本願明細書の【０１１７】に記載された「非有利期間における有利期間移行抽選」が本願発明の特定事項Ｃ２の「入賞補助制御に係るすべての制御」に含まれないことは明らかであり（上記第５　５（９））、先願発明の「非ＣＺ中において」実行される「ＣＺ１抽選」、「ＣＺ３抽選」、及び「ＡＴ初当り抽選」も、本願明細書の【０１１７】に記載された「非有利期間における有利期間移行抽選」と同様に、当選時に、非有利期間から有利期間に移行させる制御であるから、先願発明の「非ＣＺ中において」実行される「ＣＺ１抽選」、「ＣＺ３抽選」、及び「ＡＴ初当り抽選は、本願発明の特定事項Ｃ２の「入賞補助制御に係るすべての制御」に含まれるものではなく（上記第５　５（１０））、先願発明の特定事項ｃ、ｃ１、ｃ２、ｃ４の「ＡＴ」（有利期間）では「正解手順を報知するナビ演出が実行され」、「ＣＺ」（有利期間）では「正解手順を報知する示唆ナビが」「実行され」るが、ＡＴでもＣＺでもない「ＡＴ当選およびＣＺ当選」以前（非有利期間）では、「正解手順を報知するナビ演出」及び「示唆ナビ」（入賞補助制御）は実行されず（上記第５　５（１））、先願発明の特定事項ｃ、ｃ１、ｃ２、ｃ４の「メイン制御部４１」（有利期間制御手段）は、本願発明の特定事項Ｃ２の「前記有利期間制御手段は、前記非有利期間であり、かつ前記有利期間に移行しない場合に、前記入賞補助制御に係るすべての制御を実行不能であ」ることに相当する特定事項を有している（上記第５　５（１１））。
　したがって、請求人の主張を採用することはできない。
第７　むすび
　以上のとおり、本願の請求項１に係る発明は、先願発明と同一であり、しかも、本願発明の発明者が先願発明の発明者と同一ではなく、また、本願出願の時において、その出願人が先願の出願人と同一でもないので、特許法第２９条の２の規定により特許を受けることができない。
　したがって、本願は、拒絶すべきものである。
　よって、結論のとおり審決する。